(57)【特許請求の範囲】
【請求項１】
舞台床などの平坦床の床面と面一になる上端面を有する回り舞台床と、この回り舞台床に形成の開口部に臨在するときに上端面が回り舞台床の上端面と面一になる迫り舞台床と、この迫り舞台床の下方に配置されて迫り舞台床を昇降させる昇降機構とを有してなる迫り付き回り舞台において、回り舞台床が円板状に形成されると共に、その下面に近接した建物側に設けられた軸で中央を回動中心とした回動可能に支持される一方で、その外周側下面が、この下面に近接する上記建物側となるピット部壁面に形成の支持部材に設けられた複数のローラで支持されると共に、この支持部材上に配置された駆動源を上記回り舞台床の外周側下面に連繋させることでこの回り舞台床を回動可能とし、同じく支持部材の上記外周側下面に近接して配置される位置決め機構で回り舞台床の停止位置が決められてなり、迫り舞台床が回り舞台床の回動時に保持機構によって回り舞台床に保持されると共に、回り舞台床の所定位置への停止時に昇降機構に連繋されることを特徴とする迫付き回り舞台。
【発明の詳細な説明】
【０００１】
【発明の属する技術分野】
この発明は、劇場の舞台床などに設けられる迫り付き回り舞台に関する。
【０００２】
【従来技術とその問題点】
劇場などの舞台床に設けられる回り舞台の多くは、迫り舞台を有する迫り付き回り舞台とされ、これまでに、たとえば、図３に示すような構成の迫り付き回り舞台が提案されている。
【０００３】
すなわち、この迫り付き舞台は、回り舞台１を構成する回り舞台床１１がフレーム構造の支持台１２の上端に支持されながら舞台床Ｓの下方のピット床Ｐ１上に配置されてその上下方向に延びる軸芯を中心にして水平方向に回動されるとしている。
【０００４】
その一方で、この回り舞台床１１に迫り舞台、すなわち、比較すれば大型で大迫りと称される迫り舞台２と、比較すれば小型となる小迫りと称される迫り舞台３とを言わば一体に有してなるとしている。
【０００５】
このとき、各迫り舞台２，３を構成する各迫り舞台床２１，３１は、図示しないが、支持台１２に配在されたそれぞれの適宜の昇降機構で昇降されるとしている。
【０００６】
それゆえ、この従来提案としての迫り付き回り舞台にあっては、各迫り舞台床２１，３１に、たとえば、役者が乗り移るときには、回り舞台床１１の回動を停止させる必要があるが、その反面、回り舞台床１１の回動時にも、各迫り舞台床２１，３１を昇降し得ることになる点で有利となる。
【０００７】
しかしながら、この従来提案の迫り付き回り舞台にあっては、以下のような不具合があると指摘される可能性がある。
【０００８】
すなわち、この提案の場合には、回り舞台床１１が支持台１２に支持され、しかも、この支持台１２に各迫り舞台２，３が配在されることになるから、支持台１２が大型化され易くなり、舞台床Ｓの下方のピット部Ｐを大きく形成する必要を招くことになる。
【０００９】
そして、支持台１２が大型化されることから、回り舞台１の全体重量も極めて大きくなり、ピット床Ｐ１を言わば頑丈に形成するなどで、建築コストを含む全体コストの低減化を妨げることになる不具合がある。
【００１０】
この発明は、上記した事情を鑑みて創案されたものであって、その目的とするところは、全体を大型化させず、また、舞台床下のピット部を大きく形成させずして、全体コストの低減化を可能にして、その汎用性の向上を期待するのに最適となる迫り付き回り舞台を提供することである。
【００１１】
【課題を解決するための手段】
上記した目的を達成するために、この発明の構造を、舞台床などの平坦床の床面と面一になる上端面を有する回り舞台床と、この回り舞台床に形成の開口部に臨在するときに上端面が回り舞台床の上端面と面一になる迫り舞台床と、この迫り舞台床の下方に配置されて迫り舞台床を昇降させる昇降機構とを有してなる迫り付き回り舞台において、回り舞台床が円板状に形成されると共に、その下面に近接した建物側に設けられた軸で中央を回動中心とした回動可能に支持される一方で、その外周側下面が、この下面に近接する上記建物側となるピット部壁面に形成の支持部材に設けられた複数のローラで支持されると共に、この支持部材上に配置された駆動源を上記回り舞台床の外周側下面に連繋させることでこの回り舞台床を回動可能とし、同じく支持部材の上記外周側下面に近接して配置される位置決め機構で回り舞台床の停止位置が決められてなり、迫り舞台床が回り舞台床の回動時に保持機構によって回り舞台床に保持されると共に、回り舞台床の所定位置への停止時に昇降機構に連繋されるとする。
【００１２】
そして、上記した構成において、より具体的には、保持機構は、回り舞台床に保持されたシリンダ体に対して出没するロッド体を有してなるとし、このロッド体の先端が迫り舞台床の側面に形成された凹部に出没するとする。
【００１３】
また、昇降機構は、迫り舞台床を昇降させるときに、たとえば、上端の引っ掛け部を迫り舞台床の下面に形成の係止部などに引っ掛けるようにして連繋するとする。
【００１４】
【発明の実施の形態】
以下、図示した実施の形態に基づいて、この発明を説明するが、図１に示すように、この発明の一実施の形態による迫り付き回り舞台は、基本的には、回り舞台床１１と、迫り舞台床２１，３１と、昇降機構４と、保持機構５とを有してなる。
【００１５】
まず、回り舞台床１１は、回り舞台１を構成するもので、舞台床Ｓなどの平坦床の床面と面一になる上端面を有し、この発明にあっては、中央を回動中心にする円板状に形成されてなるとしている。
【００１６】
回り舞台床１１が円板状に形成されることで、前記した従来の回り舞台１における回り舞台床１１のように、フレーム構造の支持台１２で回り舞台床１１を支持する必要がなくなる。
【００１７】
その結果、大型化され易いフレーム構造からなる支持台１２を舞台床Ｓの下方のピット部Ｐに配在させないから、ピット部Ｐを大きく形成する必要がなくなる点で有利となる。
【００１８】
ところで、回り舞台床１１は、これが円板状に形成されていて、その中央を回動中心にする、すなわち、建物（符示せず）側に設けられた軸１３で舞台床１１の中央を下方側から支持されるとしている。
【００１９】
回り舞台床１１が軸１３を中心にして回動するように設定することで、回り舞台床１１がその回動時にいわゆる左右方向にふら付く現象を簡単な構成にして確実に阻止できることになる。
【００２０】
そして、この回り舞台床１１を回動する駆動源１４は、図１に示すように、回り舞台床１１の外周側下面に近接するピット部Ｐ壁面に形成された支持部材６０上に配置されて上記外周側下面と連繋するとし、また、この回り舞台床１１の回動を停止する位置決め機構１５も、同じく回り舞台床１１の外周側下面に近接する上記支持部材６０上に配置されるとしている。
【００２１】
ちなみに、駆動源１４は、所定の駆動力を発揮する限りには、任意の構成のものが採用されて良く、回り舞台床１１を一方向のみに回動させるか、両方向に回動させるか自由な構成に設定されて良い。
【００２２】
また、位置決め機構１５は、所定の制動力を発揮する限りには、任意の構成のものが採用されて良く、多くの場合に、回り舞台床１１がいわゆる一周すると作動するように設定されるであろう。
【００２３】
また、回り舞台床１１の外周側は、周方向に適宜の間隔で建物側となる上記支持部材６０上に設けられた複数のローラ１６で支持されるとして、いわゆる、上下方向にふら付く現象があらかじめ阻止されるとしている。
【００２４】
また、回り舞台床１１の停止位置は、この発明にあって、後述する迫り舞台２，３の関係から、任意の位置ではなく、あらかじめ決められた位置のみとされている。
【００２５】
つぎに、迫り舞台床２１は、比較すれば大型となり大迫りと称される迫り舞台２を構成し、迫り舞台床３１は、比較すれば小型となり小迫りと称される迫り舞台３を構成している。
【００２６】
そして、各迫り舞台床２１，３１は、上記の回り舞台床１１に形成されているそれぞれの開口部１１ａ，１１ｂに臨在するときに上端面が回り舞台床１１の上端面と面一になるように設定されている。
【００２７】
ちなみに、各迫り舞台床２１、３１は、多くの場合に、平面視で矩形を呈するように設定されている。
【００２８】
また、この各迫り舞台床２１，３１は、回り舞台床１１が所定位置に停止されるときに後述する昇降機構４に連繋されるとしている。
【００２９】
ところで、昇降機構４は、各迫り舞台床２１，３１を昇降させるように機能するもので、詳しくは図示しないが、たとえば、迫り舞台２にあっては、同期して回動する一対の螺条ロッド４１に副って基台４２が昇降するネジジャッキ方式とされ、迫り舞台３にあっては、カウンターバランス４３にワイヤ（図示せず）を介して連結される基台４４を有するワイヤ吊り上げ方式とされている。
【００３０】
また、この昇降機構４は、迫り舞台床２１，３１を昇降させるときに、たとえば、上端の引っ掛け部４５を迫り舞台床２１，３１の下面に形成の図示および附示しない係止部などに引っ掛けるようにして連繋するとしている。
【００３１】
なお、この昇降機構４周りには、たとえば、役者が通行する中階床Ｆが設けられたり、防護ネットＮが展張されたりする。
【００３２】
一方、各迫り舞台床２１，３１は、回り舞台床１１の回動時に保持機構５によって回り舞台床１１の開口部１１ａ，１１ｂに保持されるとしており、この保持機構５は、この発明にあって、図２に示すように、回り舞台床１１に保持されたシリンダ体５１から言わば対向する各迫り舞台床２１，３１の側面に向かって出没するロッド体５２を有してなる。
【００３３】
そして、各迫り舞台床２１，３１の側面には、ロッド体５２の先端の挿通を許容するガイド穴２１ａ，３１ａが形成されている。
【００３４】
ちなみに、この保持機構５は、各迫り舞台床２１，３１が回り舞台床１１に保持されることを考慮すれば、また、その際の速やかな作動を図る上からは、たとえば、流体圧シリンダとされるのが好ましいであろう。
【００３５】
なお、上記した保持機構５にあっては、シリンダ体５１が回り舞台床１１に配在されると共に各迫り舞台床２１，３１にガイド穴２１ａ，３１ａが形成されてなるとしているが、これに代えて、逆にする、すなわち、各迫り舞台床２１，３１にシリンダ体５１が配在されると共にガイド穴が回り舞台床１１に形成されてなるとしても良い。
【００３６】
それゆえ、この保持機構５にあっては、各迫り舞台床２１，３１が回り舞台床１１に形成の開口部１１ａ，１１ｂに臨在しているときに、ロッド体５２を突出するように制御することで、各迫り舞台床２１，３１を回り舞台床１１に一体的に保持させることが可能になり、したがって、回り舞台床１１が回動する際に、開口部１１ａ，１１ｂが開いたままで下方のピット部Ｐが覗けるような不具合をあらかじめ排除し得ることになる。
【００３７】
ちなみに、回り舞台床１１を回動させるには、多くの場合に、いわゆるスイッチ操作によるであろうから、仮に、開口部１１ａ，１１ｂに各迫り舞台床２１，３１が臨在していないような場合には、いわゆる安全装置が働くように設定することで、回り舞台床１１の回動時には必ず開口部１１ａ，１１ｂに各迫り舞台床２１，３１が臨在していて、開口部１１ａ，１１ｂが開いたままの状態となるのを阻止できるであろう。
【００３８】
【発明の効果】
以上のように、この発明にあっては、回り舞台床を円板状に形成してその中央と外周側で建物側に支持されるようにする一方、この回り舞台床の下面に近接するピット部壁面に形成した支持部材上に駆動源を配置すると共に、この駆動源を上記回り舞台床の外周側下面に連繋させることで、この回り舞台床をその中央を回動中心として回動可能とし、さらに、支持部材の上記外周側下面に近接して配置される位置決め機構で回り舞台床の停止位置を決めるようにしたので、前述した従来例のように、回り舞台床をフレーム構造の支持台で支持する必要がなくなり、その結果、舞台床の下方のピット部を大きく形成する必要がなくなる。
【００３９】
そして、回り舞台床がフレーム構造の支持台で支持されないから、迫り舞台を回り舞台にいわゆる絡ませるようにして設ける必要がなくなり、したがって、回り舞台の構造を簡素に設定し得て、その結果、回り舞台全体の重量が軽減され、ピット床を頑丈に形成する必要がなくなる。
【００４０】
また、この発明にあっては、迫り舞台床が回り舞台床に形成の開口部に臨在しているときに、保持機構の制御で迫り舞台床を回り舞台床に一体的に保持させることが可能になり、したがって、回り舞台床が回動する際に、回り舞台床に形成の開口部が開いたままで下方のピット部が覗けるような不具合をあらかじめ排除できることになる。
【００４１】
その結果、この発明によれば、全体の大型化を回避し得て、また、舞台床下のピット部を大きく形成させずして、建築コストを含む全体コストの低減化を可能にして、その汎用性の向上を期待するのに最適となる利点がある。
【図面の簡単な説明】
【図１】この発明の一実施の形態による迫り付き回り舞台を示す概略縦断面図である。
【図２】保持機構で回り舞台に迫リ舞台床を連繋した状態を示す部分拡大縦断面図である。
【図３】従来例としての迫り付き回り舞台を図１と同様に示す図である。
【符号の説明】
１  回り舞台
２、３  迫り舞台
４  昇降機構
５  保持機構
１１  回り舞台床
１１ａ、１１ｂ  開口部
１３  軸
１４  駆動源
１５  位置決め機構
１６  ローラ
２１、３１  迫り舞台床
２１ａ、３１ａ  凹部
４１  螺条ロッド
４２、４４  基台
４３  カウンターバランス
４５  引っ掛け部
５１  シリンダ体
５２  ロッド体
６０ 支持部材
Ｆ  中階床
Ｎ  防護ネット
Ｐ  ピット部
Ｐ１  ピット床
Ｓ  舞台床
【図１】
0003932243.tif 000002
【図２】
0003932243.tif 000003
【図３】
0003932243.tif 000004